(57)【要約】【課題】転写部材と像担持体を離間させた状態から当接させた状態へと移行させるときに、転写部材の移動スピードを緩和させることができる画像形成装置を提供する。【解決手段】感光体ドラム３と、転写ローラ４と、転写ローラ４の移動を規制するアーム８０と、アーム８０を付勢するバネ７１と、を備え、転写ローラ４は、感光体ドラム３に当接する当接位置Ｊ１、及び、感光体ドラム３から離間する離間位置Ｊ２、に移動可能で、アーム８０は、転写ローラ４が当接位置Ｊ１にあるときにバネ７１により転写ローラ４が感光体ドラム３に向かうのを規制しない第１位置Ｍ１、及び、転写ローラ４が離間位置Ｊ２にあるときにバネ７１により転写ローラ４が感光体ドラム３に向かうのを規制する第２位置Ｍ２、に配置され、アーム８０がバネ７１から受ける付勢力の方向は、第１位置Ｍ１と第２位置Ｍ２とで異なる画像形成装置を構成した。【選択図】  図６
2015132650.tif 000002
【特許請求の範囲】
【請求項１】
トナー像を担持する像担持体と、
前記像担持体の表面の画像を記録材に転写する転写部材と、
前記転写部材の移動を規制する規制部材と、
前記規制部材に付勢力を付与する付勢部材と、
を備え、
前記転写部材は、前記像担持体に当接する当接位置、及び、前記像担持体から離間する離間位置、に移動可能であり、
前記規制部材は、前記転写部材が当接位置にあるときに前記付勢部材から受ける付勢力によって前記転写部材が前記像担持体に向かうのを規制しない第１位置、及び、前記転写部材が離間位置にあるときに、前記付勢部材から受ける付勢力によって前記転写部材が前記像担持体に向かうのを規制する第２位置、にそれぞれ位置し、
前記規制部材が前記付勢部材から受ける付勢力の方向は、前記第１位置と前記第２位置とで異なることを特徴とする画像形成装置。
【請求項２】
前記転写部材は、保持部材に回転自在に支持され、
前記転写部材又は前記保持部材が押し下げられると、前記保持部材が前記規制部材に当接し、前記規制部材が前記付勢部材の付勢力によって前記第１位置から前記第２位置へと移動して前記転写部材又は前記保持部材の位置が規制されて前記転写部材が前記当接位置から前記離間位置へと移動することを特徴とする請求項１に記載の画像形成装置。
【請求項３】
前記規制部材が前記第１位置にあるときには前記規制部材に作用する力は前記転写部材から離間する方向に設定され、前記規制部材が前記第２位置にあるときには前記規制部材に作用する力は前記転写部材に接近する方向に設定されることを特徴とする請求項１又は請求項２に記載の画像形成装置。
【請求項４】
前記規制部材は、装置本体の駆動力を受けて前記第２位置から前記第１位置へと移動することを特徴とする請求項１乃至請求項３のいずれか１項に記載の画像形成装置。
【請求項５】
前記転写部材の長手方向では、両端部で前記付勢部材の付勢力が解除されるタイミングが異なることを特徴とする請求項１乃至請求項４のいずれか１項に記載の画像形成装置。
【請求項６】
前記規制部材は、前記転写部材が回転する軸と直交する方向に沿う揺動軸を中心に回転して倒れることで前記第２位置から前記第１位置へと移動することを特徴とする請求項１乃至請求項５のいずれか１項に記載の画像形成装置。
【請求項７】
前記転写部材の軸方向と平行に設けられて回転可能な回転軸と、
前記回転軸が回転するに従って前記回転軸の軸方向で前記規制部材の端部を押圧する方向に移動する押圧部と、
を備え、
前記回転軸が回転すると前記押圧部が前記規制部材を押圧して揺動させ、前記規制部材が前記第２位置から前記第１位置へと移動することを特徴とする請求項６に記載の画像形成装置。
【請求項８】
引張力を有する弾性部材と、
前記規制部材に形成されて前記弾性部材の一端部が引っ掛けられる第１掛け部と、
前記第１掛け部から見て前記揺動軸よりも遠い側に配置されて前記弾性部材の他端部が引っ掛けられる第２掛け部と、
を備え、
前記規制部材が前記第２位置から前記第１位置へと移動するときに、前記第１掛け部と前記第２掛け部とを結ぶ仮想線が前記揺動軸を跨ぐことを特徴とする請求項７に記載の画像形成装置。
【請求項９】
前記規制部材の内部に設けられ、前記規制部材が前記第２位置から前記第１位置に移動すると前記転写部材から離間する方向に移動すると共に前記規制部材が前記第１位置から前記第２位置に移動すると前記転写部材に接近する方向に移動する錘を備えることを特徴とする請求項７に記載の画像形成装置。
【請求項１０】
前記規制部材に取付けられ、前記規制部材が前記第２位置から前記第１位置に移動すると前記規制部材の端部に対して前記転写部材から離間する方向に反力を生じると共に前記規制部材が前記第１位置から前記第２位置に移動すると前記規制部材の端部に対して前記転写部材に接近する方向に反力を生じる反力部材を備えることを特徴とする請求項７に記載の画像形成装置。
【発明の詳細な説明】
【技術分野】
【０００１】
本発明は、像担持体と、像担持体の方へと押圧されて像担持体の表面の画像を記録材に転写する転写部材と、を備える画像形成装置に関する。
【背景技術】
【０００２】
特許文献１には、離間レバーの係止部が転写ローラの軸受の突起部を押えることで、転写ローラが感光体ドラムから離間する構成が開示される。また、転写ローラの軸受の軸に取付けられた離間レバーが回転して、離間レバーの係止部と転写ローラの軸受の突起部との係止が解除されることで、バネの付勢力によって転写ローラを感光体ドラムへ向かって接近させる構成が開示される。
【０００３】
こうした構成によれば、画像形成装置を運搬する際に、転写ローラと感光体ドラムとの圧接状態が長時間続く状態を低減でき、転写ローラの永久変形、転写ローラと感光体ドラムとの擦れ、転写ローラによる感光体ドラムの汚染等が抑制される。
【先行技術文献】
【特許文献】
【０００４】
【特許文献１】特許第４８４７２００号公報
【発明の概要】
【発明が解決しようとする課題】
【０００５】
しかしながら、特許文献１に記載の発明では、転写ローラと感光体ドラムとの離間状態を解除するために、比較的大きな力を要する。なぜなら、離間レバーが離間バネの付勢力に抗して離間レバーを回動させるためである。したがって、そのための駆動力を発生させるために電力が大きく必要となり、消費電力の点で不利があった。また、駆動機構を駆動する駆動源が大きく必要となり、装置の小型化にも不利であった。
【０００６】
また、特許文献１に記載の発明では、離間レバーと転写ローラの軸受との接触によって画像に影響が生じる懸念がある。なぜなら、離間レバーが離間バネによって常に転写ローラに向けて付勢されているからである。つまり、転写ローラと感光体ドラムとが圧接状態にあるときに、離間レバーは転写ローラの軸受に接触して外力を及ぼす。この外力の方向は、転写ローラが感光体ドラムに付勢される方向に対して、略直交する。そのために、転写ローラの軸受とこれを支持するフレームとの間に摩擦抵抗が発生する。このために、転写ローラが感光体ドラムに押圧される圧力が不安定になり、画像に影響する懸念があった。
【０００７】
本発明は、上記実情に鑑み、転写部材と像担持体を離間させた状態から当接させた状態へと移行させるときに、転写部材の移動スピードを緩和させて、画像への影響を低減させることができる画像形成装置を提供することを目的とする。
【課題を解決するための手段】
【０００８】
上記目的を達成するために、本発明の画像形成装置は、トナー像を担持する像担持体と、前記像担持体の表面の画像を記録材に転写する転写部材と、前記転写部材の移動を規制する規制部材と、前記規制部材に付勢力を付与する付勢部材と、を備え、前記転写部材は、前記像担持体に当接する当接位置、及び、前記像担持体から離間する離間位置、に移動可能であり、前記規制部材は、前記転写部材が当接位置にあるときに前記付勢部材から受ける付勢力によって前記転写部材が前記像担持体に向かうのを規制しない第１位置、及び、前記転写部材が離間位置にあるときに、前記付勢部材から受ける付勢力によって前記転写部材が前記像担持体に向かうのを規制する第２位置、にそれぞれ位置し、前記規制部材が前記付勢部材から受ける付勢力の方向は、前記第１位置と前記第２位置とで異なることを特徴とする。
【発明の効果】
【０００９】
本発明によれば、転写部材と像担持体を離間させた状態から当接させた状態へと移行させるときに、転写部材の移動スピードが緩和されて、画像への影響が低減される。
【図面の簡単な説明】
【００１０】
【図１】実施例１に係る画像形成装置の断面図である。
【図２】転写ローラを保持する保持機構の一部分解斜視図である。
【図３】転写ローラを保持する保持機構の斜視図である。
【図４】感光体ドラム、転写ローラ、保持機構、及び、圧接離間機構の構成を示す斜視図である。
【図５】圧接離間機構の一部拡大斜視図である。
【図６】圧接離間機構の一部拡大斜視図である。
【図７】圧接離間機構のアームの部位で切った一部拡大断面図である。
【図８】圧接離間機構の一部拡大側面図である。
【図９】圧接離間機構の一部拡大側面図である。
【図１０】図９の状態から転写ローラ及び軸受の押し下げを解放して、転写ローラが最終的な離間位置にある状態を表す図である。
【図１１】転写ローラが感光体ドラムから離間した離間状態を解除する動作の途中の工程を示す側面図である。
【図１２】転写ローラが感光体ドラムから離間した離間状態を解除した最終的な工程を示す側面図である。
【図１３】実施例２に係る転写ローラが感光体ドラムに圧接した状態を示す断面図である。
【図１４】転写ローラが感光体ドラムから離間した状態を示す断面図である。
【図１５】錘の構成を示す斜視図である。
【図１６】実施例３に係る転写ローラが感光体ドラムに圧接した状態を示す断面図である。
【図１７】転写ローラが感光体ドラムから離間した状態を示す断面図である。
【図１８】実施例４に係る転写ローラが感光体ドラムに圧接した状態を示す斜視図である。
【図１９】転写ローラが感光体ドラムから離間した状態を示す斜視図である。
【図２０】転写ローラが感光体ドラムとの離間を解除する状態を示す斜視図である。
【図２１】転写ローラが感光体ドラムとの離間が解除された状態を示す斜視図である。
【発明を実施するための形態】
【００１１】
以下、図面を参照して、この発明を実施するための形態を実施例に基づいて例示的に詳しく説明する。ただし、この実施例に記載されている構成部品の寸法、材質、形状、その相対位置等は、発明が適用される装置の構成や各種条件により適宜変更されるから、特に特定的な記載が無い限りは、発明の範囲をそれらのみに限定する趣旨のものではない。
【実施例１】
【００１２】
図１は、実施例１に係る画像形成装置１の断面図である。画像形成装置１は、装置本体１Ａを有する。装置本体１Ａの内部には、トナー像を担持する『像担持体』としての感光体ドラム３が配置される。感光体ドラム３は、画像を形成するカートリッジ２（プロセスユニット）の一部に相当する。感光体ドラム３の周囲には、帯電装置（不図示）、スキャナユニット５、現像装置（不図示）、転写ローラ４が配置される。『転写部材』としての転写ローラ４は、感光体ドラム３の表面の画像を記録材Ｓに転写する。装置本体１Ａの上部には、トレイ９が形成される。
【００１３】
また、装置本体１Ａは、カセット１０を有する。カセット１０の内部には、記録材Ｓが収容される。カセット１０の上方で左方側には、給送ローラ１１、搬送ローラ対１２、レジストローラ対１３が配置される。さらに、感光体ドラム３の右方には、定着ローラ対６、排送ローラ対７が配置される。排送ローラ対７の上方には、排出ローラ対８が配置される。
【００１４】
感光体ドラム３の表面は、帯電装置により一様に帯電され、スキャナユニット５により静電像が形成され、現像装置により現像剤で現像されて現像剤像が形成される。この一方で、カセット１０の内部の記録材Ｓは、給送ローラ１１、搬送ローラ対１２、レジストローラ対１３を経由して、感光体ドラム３及び転写ローラ４のニップ部に搬送される。このニップ部にて、感光体ドラム３の表面の現像剤像が転写ローラ４によって記録材Ｓに転写される。現像剤像が転写された記録材Ｓは、定着ローラ対６にて現像剤像が定着され、排送ローラ対７、排出ローラ対８を経由して、トレイ９に排出される。
【００１５】
図２は、転写ローラ４を保持する保持機構２００の一部分解斜視図である。図２に示されるように、転写ローラ４は軸４ａを有する。また、保持機構２００は、軸受５０を有する。軸４ａは、軸受５０の図示しない穴（図２中の点線の先に軸４ａを受け入れる穴がある）に回転自在に保持される。このため、転写ローラ４は、『保持部材』としての軸受５０に回転自在に支持される。
【００１６】
また、軸受５０は、ストッパ５１、スライド溝５２、押圧部５３、係止突起５４、バネ７０を有する。転写ローラ４の軸方向の中央側から順に、スライド溝５２が形成される部位、押圧部５３及びストッパ５１が形成される部位、係止突起５４が形成される部位が配置される。
【００１７】
ストッパ５１は、軸受５０の回転を規制する部位であり、軸受５０から側方に突出して上方へと延びる２つの部位である。ストッパ５１は、係止部２１（図３参照）に接触することで係止される。
【００１８】
スライド溝５２は、フレーム２０（図３参照）のガイド２２（図３参照）に嵌合してガイド２２に沿って上下にスライドするための溝であり、軸受５０の側方に形成される２つの溝であり、この溝が上下方向に延びる。
【００１９】
押圧部５３は、軸受５０から下方へと延びる２本の板部の先端に形成される斜面部である。押圧部５３は、アーム８０の被押部８４（図５参照）を押して突くための部位である。
【００２０】
係止突起５４は、軸受５０の板面から軸４ａの軸方向と平行に延びる円柱状の部位である。係止突起５４は、係止穴８１（図５参照）に入り込んで係止するための部位である。
【００２１】
バネ７０は、上端が軸受５０に取付けられ、下端が後述するフレーム２０（図３参照）のバネ取付け面２０ａ（図３参照）に取付けられる。バネ７０は、軸受５０とフレーム２０のバネ取付け面２０ａの間で縮められて、その反発力によって転写ローラ４を上方に押し上げて感光体ドラム３に圧接させる。
【００２２】
図３は、転写ローラ４を保持する保持機構２００の斜視図である。図３に示されるように、保持機構２００は、フレーム２０、ガイド２２、係止部２１を有する。ガイド２２は、フレーム２０の板の上部で上下方向に切り欠かれて形成される板の縁部であり、軸受５０が上下に移動するのをガイドする部位である。係止部２１は、フレーム２０の上部でガイド２２よりも転写ローラ４の軸方向の端部側で外側に形成され、軸受５０のストッパ５１の端部と対向するように面を有して突出する。
【００２３】
感光体ドラム３と、これに作用するプロセス手段とは、一体的にカートリッジ化されて、このカートリッジ２が装置本体１Ａに着脱可能に構成される。後述するが、製造者が転写ローラ４を押し下げる前には、後述のバネ７０が伸びる付勢力によって軸受５０が上方に付勢され、ストッパ５１が係止部２１に当接して、軸受５０が係止される。
【００２４】
図４は、感光体ドラム３、転写ローラ４、保持機構２００、及び、圧接離間機構３００の構成を示す斜視図である。図４では、転写ローラ４が感光体ドラム３に圧接した状態を示す。圧接離間機構３００は、バネ７１、アーム８０、ブラケット９０、保持部材９２を有する。『規制部材』としてのアーム８０は、転写ローラ４の感光体ドラム３に対する位置を規制する。アーム８０によって、転写ローラ４は感光体ドラム３に対して接触する位置と、感光ドラム３から離間する位置と、に移動可能である。
【００２５】
図５は、圧接離間機構３００の一部拡大斜視図である。図５でも、転写ローラ４が感光体ドラム３に圧接した状態を示す。アーム８０は、保持部材９２に保持される。アーム８０の揺動軸８３は、軸受５０の外側に配置される保持部材９２の凹部９２ａに揺動自在に保持される。揺動軸８３は、転写ローラ４の軸と直交する方向に延びるように配置される。また、アーム８０は、後述の図６のように直立した状態では、転写ローラ４の軸と直交する方向に面が広がる。
【００２６】
アーム８０には、第１掛け部８２が形成される。第１掛け部８２は、引張力を有する『弾性部材』としてのバネ７１の一端部を引っ掛けるために凹んで形成される部位である。ブラケット９０には、第２掛け部９１が形成される。第２掛け部９１は、バネ７１の他端部を引掛けるために凹んで形成される部位である。第２掛け部９１は、第１掛け部８２から見て揺動軸８３よりも遠い側に配置される。バネ７１は、一端が第１掛け部８２に掛けられ、他端が第２掛け部９１に掛けられる。
【００２７】
前述ように、アーム８０の揺動軸８３が、保持部材９２に形成される凹部９２ａに挿入され、揺動自在に保持される。ブラケット９０は、側面視でコの字状に形成され、解除軸１００を迂回しつつ跨ぐように配置される。なお、ブラケット９０は、フレーム２０に固定される。『回転軸』としての解除軸１００は、転写ローラ４の軸方向と平行に設けられて回転可能となっている。
【００２８】
圧接離間機構３００は、第１規制部８５、第２規制部９３を有する。第１規制部８５は、アーム８０の側部に形成される突起部である。第２規制部９３は、保持部材９２の上縁部である。図５に示されるように、アーム８０が離間方向Ｓ１に揺動した状態では、第１規制部８５が第２規制部９３に当接した状態になる。このときが、アーム８０が第１位置Ｍ１にあるときであり、アーム８０に作用する力は転写ローラ４から離間する方向に設定される。
【００２９】
また、アーム８０が接近方向Ｓ２に揺動した状態では、第１規制部８５が第２規制部９３から離間した状態になる（後述の図６参照）。このときが、アーム８０が第２位置Ｍ２にあるときであり、アーム８０に作用する力は転写ローラ４に接近する方向に設定される。
【００３０】
図６は、圧接離間機構３００の一部拡大斜視図である。図６では、転写ローラ４が感光体ドラム３から離間した状態を示す。
【００３１】
ここで、図５と図６との関係を説明しておく。製品の製造工程で、製造者は、製品の梱包前に、感光体ドラム３を含むカートリッジ２が無い状態で圧接離間機構３００を以下のように扱う。すなわち、製造者は、転写ローラ４が下向きに押し下げられていない図５の状態（状態１）から転写ローラ４が下向きに押し下げられた図６の状態にする（状態２）。ただし、このときに、図５及び図６において感光体ドラム３が無い状態になっていると仮定する。
【００３２】
そして、製造者は、その後に、図６の状態で、感光体ドラム３を含むカートリッジ２を装置本体１Ａに組み付けて、転写ローラ４と感光体ドラム３との間に隙間が確保された図６の状態にする（状態３）。この状態で、製造者は、画像形成装置１を梱包する。
【００３３】
その後、ユーザが画像形成装置１を購入等して電源を入れると、圧接離間機構３００を、解除軸１００の回転により図６の状態から図５の状態にする（状態４）。このとき、転写ローラ４と感光体ドラム３とが接触した状態になっている。以下、このことを詳述する。
【００３４】
前述の状態１のような感光体ドラム３がなく転写ローラ４が下向きに押し下げられていない状態、又は、前述の状態４のような転写ローラ４が感光体ドラム３に当接する当接位置Ｊ１にある状態では、圧接離間機構３００は図５のような状態になっている。この状態では、解除筒体１１０が図５の矢印Ｋ２の方に寄って配置されており、アーム８０が傾斜している。
【００３５】
このときに、バネ７１（図４参照）の付勢力によって、アーム８０が軸受５０に対して離間方向Ｓ１に揺動し、また、第１規制部８５と第２規制部９３が当接してアーム８０の揺動が規制される。この状態では、転写ローラ４が当接位置Ｊ１にあり、このときに、アーム８０は、バネ７１から受ける付勢力によって転写ローラ４を感光体ドラム３に向かって押圧するのを規制しない第１位置Ｍ１にある。
【００３６】
一方で、前述の状態２のような感光体ドラム３がなく転写ローラ４が下向きに押し下げられている状態、又は、前述の状態３のような感光体ドラム３が更に組み付けられた状態では、圧接離間機構３００は図６のような状態になっている。このように、転写ローラ４は、前述の感光体ドラム３に当接する当接位置Ｊ１（図５参照）から、感光体ドラム３から離間する離間位置Ｊ２、へと移動可能に構成される。
【００３７】
この状態では、解除筒体１１０が図６の矢印Ｋ２の方に寄る前の状態で配置されており、突起１１３がアーム８０に当接しておらず、アーム８０が直立している。また、この状態では、転写ローラ４が離間位置Ｊ２にあり、このときに、アーム８０は、バネ７１から受ける付勢力によって転写ローラ４を感光体ドラム３に向かって押圧するのを規制する第２位置Ｍ２にある。このときに、バネ７１（図４参照）の付勢力によって、アーム８０が軸受５０に対して接近方向Ｓ２に揺動し、また、アーム８０と軸受５０が当接してアーム８０の揺動が規制される。
【００３８】
アーム８０がバネ７１（図４参照）から受ける付勢力の方向は、第１位置Ｍ１と第２位置Ｍ２とで異なる。これは、揺動軸８３、第１掛け部８２、第２掛け部９１の配置関係から成立する。揺動軸８３、第１掛け部８２、第２掛け部９１は、一直線上に並ぶアーム８０の中立位置では、回転モーメントが発生しない。しかし、中立位置から僅かでもずれると回転モーメントが作用してアーム８０は回転する。つまり、図８、図９を参照しつつ後述するが、揺動軸８３が、第１掛け部８２と第２掛け部９１とを結んだ線に対して、解除軸１００の軸方向の一方向側に配置されるか軸方向の他方向側に配置されるかによって決まる。
【００３９】
図５に示されるように、前述の状態１や状態４では、押圧部５３が被押部８４に非接触である。このときには、アーム８０には、離間方向Ｓ１に回転モーメントが作用している。製造者が、転写ローラ４の軸受５０を下方に押し下げて転写ローラ４を下方に下げると、軸受５０の押圧部５３がアーム８０の被押部８４に当接して下方に押し付ける。これにより、図６に示されるように、アーム８０が接近方向Ｓ２へと揺動する。
【００４０】
特に、図５の状態と図６の状態との移行過程で、アーム８０の中立位置を超えた瞬間に、アーム８０が軸受５０に向かう接近方向Ｓ２に向かって急に付勢される。これにより、アーム８０が『離間付勢部材』としてのバネ７１から付勢力を付与されて第１位置Ｍ１から第２位置Ｍ２へと移動する。
【００４１】
そして、係止突起５４が係止穴８１に係合すると、転写ローラ４の位置が規制される。同時に、転写ローラ４の位置は、軸受５０の位置を規制して当接位置Ｊ１から離間位置Ｊ２へと移動している。このように転写ローラ４が下方に押し下げられた状態で、カートリッジ２が装置本体１Ａに装着されると、転写ローラ４と感光体ドラム３が離間した状態に維持される。
【００４２】
ここで、図４に戻る。図４に示されるように、圧接離間機構３００は、解除軸１００、解除ギア１０１、解除軸受１０２を有する。解除軸１００は、前述の状態３から状態４へと移行する過程で、転写ローラ４が下方に配置されて感光体ドラム３と離間された状態を解除するための軸である。解除ギア１０１は、解除軸１００の一端部に取付けられたギアであり、装置本体１Ａの内部に配置されて搬送ローラ対等を駆動する駆動ギア等から駆動力を伝達されて回転する。解除軸受１０２は、フレームに取付けられ、解除軸１００を回転自在に支持する。
【００４３】
図６のように解除軸１００が矢印Ｋ１方向に回転すると、解除筒体１１０が図５のように矢印Ｋ２方向に移動する。そうすると、図５のようにアーム８０は、装置本体１Ａの駆動力を受けて揺動軸８３を中心に回転して第２位置Ｍ２から第１位置Ｍ１へと移動する（倒れる）。
【００４４】
図７は、圧接離間機構３００のアーム８０の部位で切った一部拡大断面図である。図７に示されるように、圧接離間機構３００は、ピン１０３、解除筒体１１０を有する。ピン１０３は、解除軸１００の表面に解除軸１００の表面に対して例えば垂直方向に延びるように取付けられ、解除軸１００と一体的に回動する。
【００４５】
解除筒体１１０は、解除軸１００に嵌合され、軸方向に対して傾斜するように切り欠かれた傾斜溝１１１を有する。この解除筒体１１０は、フランジ１１２よりも解除軸１００の中央部側に挿嵌されている。そして、傾斜溝１１１がピン１０３に係合するように配置される。そのために、解除筒体１１０が解除軸１００と共に回転する。
【００４６】
更に、圧接離間機構３００は、止め輪１０４、バネ７２、フランジ１１２、突起１１３（図８参照）を有する。止め輪１０４は、解除軸１００の端部に取付けられる環状部である。バネ７２は、止め輪１０４とフランジ１１２との間に配置され、フランジ１１２をアーム８０に向かって付勢する。フランジ１１２は、解除軸１００の止め輪１０４から所定寸法離れた部位に取付けられ、解除軸１００の軸方向に移動可能に挿入される環状部である。
【００４７】
この解除筒体１１０の動作に関して、図５及び図６を参照しつつ動作を述べると、以下のようになる。図５の転写ローラ４と感光体ドラム３が圧接した状態では、図７のように、解除軸１００が矢印Ｋ１方向に回転すると、解除筒体１１０は、解除軸１００に沿って矢印Ｋ２で示す解除軸１００の中央側へとスライドし、傾斜溝１１１の奥部１０３ａに当接して係止する。このときに、解除筒体１１０とアーム８０は、非接触状態である。
【００４８】
一方で、図６のように、転写ローラ４と感光体ドラム３が離間した状態では、図７のように、解除筒体１１０は、解除軸１００に沿って矢印Ｋ２とは反対方向の解除軸１００の端部側へとスライドし、傾斜溝１１１の奥部１０３ａよりも手前部１０３ｂに寄っている。このときに、解除筒体１１０とアーム８０は、接触状態である。なお、バネ７２の弾性力は、転写ローラ４と感光体ドラム３が離間状態にあるときのバネ７１の弾性力に対して、十分に小さく設定される。
【００４９】
図８は、圧接離間機構３００の一部拡大側面図である。図８に示されるように、フランジ１１２における解除軸１００の中央側の面には、突起１１３が形成される。解除軸１００が図６の矢印Ｋ１方向に回転すると、解除筒体１１０も回転して突起１１３がアーム８０に当接する。
【００５０】
このように、『押圧部』としての突起１１３は、解除軸１００が回転するに従って解除軸１００の軸方向でアーム８０の端部を押圧する方向に移動するようになっている。突起１１３がアーム８０に当接する面は斜面になっている（図１１参照）。解除軸１００が回転すると突起１１３がアーム８０を押圧して揺動させ、アーム８０が第２位置Ｍ２から第１位置Ｍ１へと移動する。
【００５１】
図７を参照しつつ前述したように、解除筒体１１０には傾斜溝１１１が形成される。この傾斜溝１１１は解除軸１００の軸線方向に対して傾斜する方向に延びる。こうした構成であるために、解除軸１００が、図６及び図７に示される矢印Ｋ１方向に回転すると、解除筒体１１０には、矢印Ｋ２方向の力が作用する。従って、突起１１３がアーム８０に当接しても（図１１参照）、解除筒体１１０は、アーム８０から離間する方向に逃げることなく、回転しつつ矢印Ｋ２方向にスライドする。
【００５２】
そして、突起１１３がアーム８０に作用してアーム８０は揺動する。このとき、アーム８０は中立位置を超えた瞬間に、軸受５０から離れる側に急に付勢される。そして、係止突起５４と係止穴８１との係合が解除されて、感光体ドラム３と転写ローラ４が圧接した状態になる。
【００５３】
（転写ローラ４と感光体ドラム３との離間動作及び離間解除動作）
次に、図８、図９、図１０を参照しつつ転写ローラ４と感光体ドラム３との離間動作を説明する。また、図７、図１１、図１２を参照しつつ転写ローラ４と感光体ドラム３との離間解除動作を説明する。いずれの図も、説明のために一部の部品を省略してある。
【００５４】
図８では、製造者が、感光体ドラム３を有するカートリッジ２を装置本体１Ａに装着しておらず、また、転写ローラ４を下方に押し下げていないときの状態を示す。この場合には、転写ローラ４の位置は、アーム８０で規制されていない。転写ローラ４は、軸受５０と共にバネ７０によって上方に付勢される。そして、図３に示されるように、ストッパ５１が係止部２１に当接して係止される。
【００５５】
アーム８０には、第１掛け部８２、第２掛け部９１を結んだ矢印Ｔ１方向にバネ７１の力が作用する。揺動軸８３は、矢印Ｔ１方向に対して図８の左側に位置している。従って、アーム８０には軸受５０から離れる離間方向Ｓ１の回転モーメント（図８中の時計回り方向のモーメント）が作用する。アーム８０は第１規制部８５と第２規制部９３が当接して揺動が規制される。これによってアーム８０は軸受５０から離れた位置に保持される。このとき、押圧部５３と被押部８４は非接触である。アーム８０とフランジ１１２も非接触である。なお、アーム８０が第２位置Ｍ２から第１位置Ｍ１へと移動するときに、第１掛け部８２と第２掛け部９１とを結ぶ仮想線が揺動軸８３を跨ぐ。
【００５６】
図９は、圧接離間機構３００の一部拡大側面図である。図９は図８の状態から転写ローラ４を軸受５０とともに押し下げて、転写ローラ４が最終的な離間位置よりも下方に位置する状態を表す。製造者が転写ローラ４を軸受５０とともに押し下げると、押圧部５３と被押部８４が接触する。すると、アーム８０は揺動軸８３を中心に回動していく。
【００５７】
前述したように、図８において、揺動軸８３は、第１掛け部８２、第２掛け部９１を結んだ線に対して左側に位置していた。そのため、アーム８０には軸受５０から離れる離間方向Ｓ１の回転モーメントが作用していた。ところが、アーム８０の揺動にともなって、この位置関係は変化していき、揺動軸８３、第１掛け部８２、第２掛け部９１が同一線上に並ぶ。このとき、アーム８０には回転モーメントが作用しない中立位置になる。
【００５８】
そして、揺動軸８３が第１掛け部８２、第２掛け部９１を結んだ線に対して僅かでも右側に位置すると、図９（ａ）に示すようにアーム８０には軸受５０に向かう接近方向Ｓ２の回転モーメント（図９（ａ）中の反時計回り方向のモーメント）が急に作用する。そして、以上によって、係止突起５４が係止穴８１に嵌まりこむ（図９（ｂ）参照）。
【００５９】
このとき、図９（ｂ）に示すように、係止突起５４は係止穴８１の下端に位置している。同時に、アーム８０と解除筒体１１０のフランジ１１２が接触する。解除筒体１１０はバネ７２による付勢力に抗して図９（ａ）の右方向に移動する。
【００６０】
図１０は、図９の状態から転写ローラ４及び軸受５０の押し下げを解放して、転写ローラ４が最終的な離間位置にある状態を表し、（ａ）は側面図、（ｂ）は正面図である。転写ローラ４及び軸受５０の押し下げを解放すると、軸受５０は上昇して、図１０（ｂ）に示すように係止突起５４が係止穴８１の上端で係止される。
【００６１】
図１０では図９と同様に、アーム８０には軸受５０に向かう接近方向Ｓ２の回転モーメントが作用する。接近方向Ｓ２の回転モーメントはバネ７２の付勢力よりも大きくなるように設定されている。従って、アーム８０は軸受５０に接した位置に保持される。その結果、転写ローラ４は感光体ドラム３から隙間Ｇだけ離間した位置に保持される。なお、輸送時に衝撃や振動があっても、接近方向Ｓ２の回転モーメントが作用しているため、アーム８０は図１０の位置に保持されて離間状態が維持される。
【００６２】
図１１は、転写ローラ４が感光体ドラム３から離間した離間状態を解除する動作の途中の工程を示す側面図である。図１２は、転写ローラ４が感光体ドラム３から離間した離間状態を解除した最終的な工程を示す側面図である。なお、前述した図７を参照しつつ図１１から図１２の状態に移行する際の解除筒体１１０の動作も合わせて説明する。
【００６３】
図７のように、解除筒体１１０に設けられた傾斜溝１１１には、解除軸１００と一体的に回転するピン１０３が係合している。解除軸１００が矢印Ｋ１方向に回転すると、ピン１０３が傾斜溝１１１に作用して解除筒体１１０も矢印Ｋ１方向に回転する。そして、突起１１３がアーム８０に接触する。このとき、解除筒体１１０には矢印Ｋ２方向の力が作用する。従って解除軸１００が回転すると、解除筒体１１０は回転しつつ、ピン１０３が傾斜溝の奥部１０３ａに達するまでスライドする。
【００６４】
ここで、図１１に示されるように、突起１１３は、アーム８０に当接する面がテーパー面になっている。従って解除筒体１１０は、突起１１３がアーム８０を押しのけるようにして回転しつつ、スライドしていく。その結果、アーム８０は揺動軸８３を中心に徐々に揺動していく。
【００６５】
図１１のように、アーム８０が揺動していき中立位置を僅かに超えると、軸受５０から離れる矢印Ｓ１方向の回転モーメントが急に作用する。すると、係止突起５４が係止穴８１から外れる。その結果、軸受５０はバネ７０の付勢力によって上昇して、転写ローラ４は感光体ドラム３に圧接される。
【００６６】
矢印Ｓ１方向の回転モーメントによって、アーム８０はさらに揺動する。そして図１２のように、第１規制部８５と第２規制部９３が当接して揺動が規制される。このときアーム８０には離間方向Ｓ１の回転モーメントが作用して、軸受５０から離れた位置に保持される。それ故、解除軸１００が更に回転し、突起１１３がアーム８０に近づいても、再び突起１１３とアーム８０が接触することはない。なお、第１規制部８５が第２規制部９３に当接する前後で、アーム８０にかかる回転モーメントは変化する。
【００６７】
以上説明したように、実施例１の構成によれば、アーム８０に作用する力の方向を、感光体ドラム３と転写ローラ４の離間時と圧接時で異なるように構成することで、離間解除に要する力を小さくすることができる。また、当接時にアーム８０に作用する力の方向を軸受５０から離れる方向にすることで、転写ローラ４に余計な外力を作用させることがなく、画像への影響を無くすことができる。
【００６８】
また、上述したように感光体ドラム３と転写ローラ４が離間した状態にするためには、軸受５０を押し下げるだけでよい。従って、転写ローラ４及び軸受５０が画像形成装置１の奥まった位置に配置されている場合でも、容易に離間状態を作り出すことができる。
【００６９】
また、解除筒体１１０による解除タイミングを転写ローラ４の左右でずらすように構成する。これにより、転写ローラ４の長手方向では、両端部でバネ７１の付勢力が解除されるタイミングが異なる。こうすると、解除軸１００を駆動する図示しない駆動源に対する負荷が平準化されて、更なる電力削減や駆動源の小型化に繋がる。
【００７０】
なお、本実施例では軸受５０の位置を規制することで感光体ドラム３と転写ローラ４を離間状態にする構成を説明した。しかし、軸４ａの位置を規制する構成でも構わない。
【００７１】
また、本実施例では感光体ドラム３と転写ローラ４を離間状態にする構成を説明したが、通常の画像形成時に対して転写ローラ４の圧接状態を軽減する構成でも構わない。
【実施例２】
【００７２】
図１３は、実施例２に係る転写ローラ４が感光体ドラム３に圧接した状態を示す断面図である。図１４は、転写ローラ４が感光体ドラム３から離間した状態を示す断面図である。図１５は、錘２９０（錘はおもりと読む）の構成を示す斜視図である。いずれの図も、説明の簡略化のために、一部の部品が省略されている。
【００７３】
実施例２は、アーム８０の付勢部材の別の態様であり、それ以外は、実施例１の構成と同様である。実施例２中で実施例１と同様な構成に関しては、同一の符号を付して説明を省略する。なお、図１３及び図１４中で、当接位置Ｊ１及び離間位置Ｊ２と、第１位置Ｍ１及び第２位置Ｍ２と、が記載されるが、実施例１と同様の定義による状態をいう。
【００７４】
図１３に示されるように、アーム８０は、ガイド２８０及び錘２９０を有する。ガイド２８０は、アーム８０の上部に形成され、錘２９０をガイドする板状の部位である。ここでは、ガイド２８０は、細長い四角に形成されている。ガイド２８０で囲まれる空間は空洞に形成されるが、中に前述の錘２９０が配置される。錘２９０は、ガイド２８０に案内されて、解除軸１００の軸方向で外側（図１３参照）及び内側（図１４参照）の間で移動するものである。
【００７５】
図１５に示されるように、錘２９０は、円柱状の形状をしており、２箇所のフランジ２９２と、その２箇所のフランジ２９２に挟まれた溝２９１と、を有する。錘２９０は、溝２９１がガイド２８０に嵌合することで、ガイド２８０に沿って自在に移動できる。錘２９０において、フランジ２９２は、ガイド２８０の幅よりも大きく設定されており、錘２９０がガイド２８０から脱落するのが抑制されている。
【００７６】
図１３のように感光体ドラム３と転写ローラ４が圧接した状態や、感光体ドラム３が無い状態では、錘２９０の付勢力によりアーム８０が軸受５０から離れる離間方向Ｓ１に揺動する。図１４のように感光体ドラム３と転写ローラ４が離間した状態では、錘２９０の付勢力によりアーム８０が軸受５０に向かう接近方向Ｓ２に揺動するよう構成されている。このように、アーム８０に作用する付勢力の方向は、アーム８０の揺動位置によって変化する。これは、錘２９０がガイド２８０に沿って移動することから成り立つ。以下、詳述する。
【００７７】
図１３のように感光体ドラム３と転写ローラ４が圧接した状態や、感光体ドラム３が無い状態では、図１３に示されるように、錘２９０はガイド２８０の右端に位置する。そのため、錘２９０の自重Ｗ、及びアーム８０の自重によってアーム８０には離間方向Ｓ１の回転モーメントが作用する。
【００７８】
図１４のように感光体ドラム３と転写ローラ４が離間した状態では、錘２９０はガイド２８０の左端に位置する。そのため、錘２９０の自重Ｗ、及びアーム８０の自重によってアーム８０には接近方向Ｓ２の回転モーメントが作用する。
【００７９】
このようにアーム８０の内部の錘２９０は、アーム８０が第２位置Ｍ２から第１位置Ｍ１に移動すると転写ローラ４から離間する方向に移動すると共に、アーム８０が第１位置Ｍ１から第２位置Ｍ２に移動すると転写ローラ４に接近する方向に移動する。
【００８０】
実施例２の構成によれば、錘２９０が用いられて、アーム８０に作用する力の方向が、感光体ドラム３と転写ローラ４の離間時と圧接時で異なるように構成される。そのために、実施例１と同様に、離間解除に要する力が小さく抑制される。また、離間時にアーム８０に作用する力の方向が軸受５０から離間する方向に設定されたので、転写ローラ４に余計な外力を作用させることがなく、画像への影響を無くすことができる。
【実施例３】
【００８１】
図１６は、実施例３に係る転写ローラ４が感光体ドラム３に圧接した状態を示す断面図である。図１７は、転写ローラ４が感光体ドラム３から離間した状態を示す断面図である。実施例３は、アーム８０の付勢部材の別の態様であり、それ以外は、実施例１の構成と同様である。実施例３中で実施例１と同様な構成に関しては、同一の符号を付して説明を省略する。なお、図１６及び図１７中で、当接位置Ｊ１及び離間位置Ｊ２と、第１位置Ｍ１及び第２位置Ｍ２と、が記載されるが、実施例１と同様の定義による状態をいう。
【００８２】
アーム８０は、バネ７２、第１バネ腕７２ａ、第２バネ腕７２ｂ、コイル部７２ｃ、コイル嵌軸３８０、フレーム３０、第１係止部３１、第２係止部３２、第３係止部３３を有する。
【００８３】
アーム８０の側縁部には、コイル嵌軸３８０が形成される。バネ７２は、線状部に相当する第１バネ腕７２ａ及び第２バネ腕７２ｂ、並びに、環状部に相当するコイル部７２ｃを有する。そして、コイル部７２ｃがコイル嵌軸３８０に嵌合される。また、第１バネ腕７２ａが第１係止部３１に係止される。さらに、第２バネ腕７２ｂが第２係止部３２及び第３係止部３３に係止される。第２係止部３２及び第３係止部３３は、フレーム３０に形成される。
【００８４】
図１６に示されるように感光体ドラム３と転写ローラ４が圧接した状態や、感光体ドラム３が無い状態では、バネ７２の付勢力により、アーム８０が軸受５０から離れる離間方向Ｓ１に揺動する。図１７のように感光体ドラム３と転写ローラ４が離間した状態では、バネ７２の付勢力により、アーム８０が軸受５０に向かう接近方向Ｓ２に揺動する。このように、アーム８０に作用する付勢力の方向は、アーム８０の揺動位置によって変化するように構成されている。これは、バネ７２の姿勢が変化することから成り立つ。
【００８５】
図１６のように感光体ドラム３と転写ローラ４が圧接した状態では、バネ７２に、第１バネ腕７２ａと第２バネ腕７２ｂの間に向けた力Ｆ１が作用している。このとき、第１バネ腕７２ａは第１係止部３１で係止されている。一方、第２バネ腕７２ｂは第２係止部３２と第３係止部３３で係止されている。従って、バネ７２には、第２バネ腕７２ｂの先端を中心として回転するような力が作用する。その結果、コイル嵌軸３８０にはＦ２方向の力が作用するため、アーム８０には離間方向Ｓ１の回転モーメントが作用する。
【００８６】
一方、図１７のように感光体ドラム３と転写ローラ４が離間した状態では、バネ７２は、第１バネ腕７２ａと第２バネ腕７２ｂの間に向けた力Ｆ３が作用している。このとき、第１バネ腕７２ａは第１係止部３１で係止されている。一方、第２バネ腕７２ｂは第２係止部３２で係止されている。第２係止部３２は斜面になっていて、第２バネ腕７２ｂの先端が力Ｆ３の方向に移動するように構成されている。
【００８７】
前記規制部材に取付けられる『反力部材』としてのバネ７２は、アーム８０が第２位置Ｍ２から第１位置Ｍ１に移動するとアーム８０の端部に対して転写ローラ４から離間する方向に反力を生じる。また、バネ７２は、アーム８０が第１位置Ｍ１から第２位置Ｍ２に移動するとアーム８０の端部に対して転写ローラ４に接近する方向に反力を生じる。
【００８８】
従って、バネ７２には、第１係止部３１を中心として回転するような力が作用する。その結果、コイル嵌軸３８０にはＦ４方向の力が作用するため、アーム８０には接近方向Ｓ２の回転モーメントが作用する。
【００８９】
実施例３の構成によれば、バネ７２を用いて、アーム８０に作用する力の方向を、感光体ドラム３と転写ローラ４の離間時と圧接時で異なるように構成できる。それ故、実施例１と同じく離間解除に要する力を小さくすることができる。また、離間時にアーム８０に作用する力の方向を軸受５０から離れる方向にすることで、転写ローラ４に余計な外力を作用させることがなく、画像への影響を無くすことができる。
【実施例４】
【００９０】
図１８は、実施例４に係る転写ローラ４が感光体ドラム３に圧接した状態を示す斜視図である。図１９は、転写ローラ４が感光体ドラム３から離間した状態を示す斜視図である。図２０は、転写ローラ４が感光体ドラム３との離間を解除する状態を示す斜視図である。図２１は、転写ローラ４が感光体ドラム３との離間が解除された状態を示す斜視図である。いずれの図も、説明をし易くするために、一部の部品が省略されている。なお、図１８及び図１９中で、当接位置Ｊ１及び離間位置Ｊ２と、第１位置Ｍ１及び第２位置Ｍ２と、が記載されるが、実施例１と同様の定義による状態をいう。
【００９１】
図１８に示されるように、離間アーム４８０には、引張バネ７３の一端部が引掛けられる第１掛け部４８５と、引張バネ７３の他端部が引掛けられる第２掛け部４３と、が形成される。この第１掛け部４８５と第２掛け部４３との間に、引張バネ７３が引掛けられて配置される。
【００９２】
離間アーム４８０は揺動軸４８１を有し、この揺動軸４８１はフレーム４０の図示しない保持部に揺動自在に保持される。離間アーム４８０は転写ローラ４の移動面と直交する面内で揺動するように構成されている。
【００９３】
また、離間アーム４８０の下部には第１規制部４８２が形成され、離間アーム４８０の上部には第２規制部４８３が形成される。さらに、フレーム４０の穴の下縁部には第１受け部４１が形成され、フレームの穴の上縁部には第２受け部４２が形成される。第１規制部４８２は第１受け部４１に対向し、第２規制部４８３は第２受け部４２に対向する。
【００９４】
転写ローラ４には係止部１５２が取り付けられる。軸受５０には押突起１５１が形成される。離間アーム４８０には係止腕４８４及び被押部４８６が形成される。
【００９５】
図１８のように感光体ドラム３と転写ローラ４が圧接した状態や、感光体ドラム３が無い状態では、引張バネ７３の付勢力により離間アーム４８０が矢印Ｕ１方向に揺動する。このとき、離間アーム４８０は第１規制部４８２と第１受け部４１が当接して揺動が規制される。このときに、被押部４８６と押突起１５１とは非接触である。
【００９６】
図１９のように感光体ドラム３と転写ローラ４が離間した状態では、引張バネ７３の付勢力により離間アーム４８０が矢印Ｕ２に揺動する。このとき、離間アーム４８０は第２規制部４８３と第２受け部４２が当接して揺動が規制される。このときに、被押部４８６と押突起１５１とが非接触となっている。
【００９７】
実施例１と同じく、離間アーム４８０に作用する付勢力の方向は、離間アーム４８０の揺動位置によって変化するように構成されている。これは、揺動軸４８１、第１掛け部４８５、第２掛け部４３の配置関係から成り立つ。揺動軸４８１、第１掛け部４８５、第２掛け部４３が一直線に並ぶ離間アーム４８０の中立位置では、回転モーメントが発生しない。しかし、中立位置から僅かでもずれると回転モーメントが作用して離間アーム４８０は回転する。
【００９８】
図１８に示されるように感光体ドラム３と転写ローラ４が圧接した状態や、感光体ドラム３が無い状態では、係止部１５２と係止腕４８４は非接触である。押突起１５１と被押部４８６も非接触である。このとき、離間アーム４８０には矢印Ｕ１方向の回転モーメントが作用している。
【００９９】
製造者が転写ローラ４を軸受５０とともに押し下げると、押突起１５１が被押部４８６に当接して、離間アーム４８０が揺動するように構成されている。このとき、離間アーム４８０の中立位置を超えた瞬間に矢印Ｕ２方向に急に付勢される。そして、係止腕４８４が係止部１５２に係合すると、転写ローラ４の位置が規制されて、感光体ドラム３と転写ローラ４が離間した状態になる。
【０１００】
また、離間アーム４８０の側方には、解除軸１００、解除リング２１０が配置される。解除リング２１０は解除軸１００に取付けられる。解除リング２１０の外周の縁部には凸部２１１が形成される。離間アーム４８０には、凸部２１１に突かれる被押部４８７が形成される。解除リング２１０は解除軸１００と一体的に回動するように構成されている。
【０１０１】
図１８に示されるように感光体ドラム３と転写ローラ４が圧接した状態や、感光体ドラム３が無い状態では、解除リング２１０が回動しても凸部２１１は被押部４８７に当接しないよう構成されている。
【０１０２】
一方、感光体ドラム３と転写ローラ４が離間した状態では、図２０のように解除リング２１０が回転すると凸部２１１が被押部４８７に当接する。そして、凸部２１１が被押部４８７を押しのけるように回転していき離間アーム４８０は揺動する。このとき、図２１のように、離間アーム４８０は中立位置を超えた瞬間に、矢印Ｕ１方向に急に付勢される。そして図２１のように、係止腕４８４と係止部１５２の係合が解除されて、感光体ドラム３と転写ローラ４が圧接した状態になる。
【０１０３】
実施例４の構成によれば、離間アーム４８０の移動方向を転写ローラ４の移動面と直交する面内で揺動するように構成しても、離間アーム４８０に作用する力の方向を、感光体ドラム３と転写ローラ４の離間時と圧接時で異なるように構成できる。それ故、実施例１と同じく離間解除に要する力を小さくすることができる。また、離間時に矢印Ｕ１方向の回転モーメントが作用して、図１８の状態を保つことで、転写ローラ４に余計な外力を作用させることがなく、画像への影響を無くすことができる。
【０１０４】
実施例１乃至４のいずれかの構成によれば、転写ローラ４と感光体ドラム３の圧接解除機構において、離間状態を解除する力を低減しつつ、画像への影響を低減することができる
【符号の説明】
【０１０５】
１    画像形成装置
３    感光体ドラム（像担持体）
４    転写ローラ（転写部材）
８０  アーム（規制部材）
Ｊ１  当接位置
Ｊ２  離間位置
Ｍ１  第１位置
Ｍ２  第２位置
【図１】
2015132650.tif 000003
【図２】
2015132650.tif 000004
【図３】
2015132650.tif 000005
【図４】
2015132650.tif 000006
【図５】
2015132650.tif 000007
【図６】
2015132650.tif 000008
【図７】
2015132650.tif 000009
【図８】
2015132650.tif 000010
【図９】
2015132650.tif 000011
【図１０】
2015132650.tif 000012
【図１１】
2015132650.tif 000013
【図１２】
2015132650.tif 000014
【図１３】
2015132650.tif 000015
【図１４】
2015132650.tif 000016
【図１５】
2015132650.tif 000017
【図１６】
2015132650.tif 000018
【図１７】
2015132650.tif 000019
【図１８】
2015132650.tif 000020
【図１９】
2015132650.tif 000021
【図２０】
2015132650.tif 000022
【図２１】
2015132650.tif 000023